(57)【要約】      （修正有）【課題】輸送、保管、養殖現場での取り扱いにおいて、重量荷重の負荷において変形、破損、歪みが無く、しかも、母線への安定な取り付けの容易性、および稚貝の脱離が非常に少ない実入りの良い牡蠣の収穫に適した牡蠣養殖用掛止具を提供する。【解決手段】牡蠣殻頂に開けた細孔に挿通可能な細長の樹脂製長尺根幹１からなり、長尺根幹１の中央域には、根幹１を他の基材に固定する為の固定用部材３、３’を有し、根幹１の長手方向の両端域には、少なくとも一対の貝の抜止用部材２、２’が長尺の根幹１に沿って中央域方向に向かって順次設けられている。【選択図】図１
0003201075.tif 000002
【実用新案登録請求の範囲】
【請求項１】
牡蠣殻に開けた細孔に挿通可能な細長の樹脂製長尺根幹からなり、長尺根幹の中央域には、根幹を他の基材に固定する為の固定用部材を有し、根幹の長手方向の両端域には、少なくとも一対の貝の抜止用部材が長尺の根幹に沿って中央域方向に向かって順次設けられていることを特徴とする牡蠣養殖用掛止具。
【請求項２】
固定用部材が根幹上には根幹の中心付近を起点にして母線を挟む十分な間隔を持った先端部が中心側に傾斜した形状の一対の母線抑え突起が左右対称に設けられていることを特徴とする請求項１に記載の牡蠣養殖用掛止具。
【請求項３】
固定用部材が根幹上には根幹の中心付近を起点にして母線を挟む十分な間隔を持った対の把持構造が設けられていることを特徴とする請求項１に記載の牡蠣養殖用掛止具。
【請求項４】
固定用部材が長尺の根幹の中心付近に引っ掛け具が設置されていることを特徴とする請求項１に記載の牡蠣養殖用掛止具。
【請求項５】
一対の貝の抜止用部材が長尺の根幹に沿って端部から中央方向に向かって、一定の間隔を持って、１〜５個のアグ構造が順次左右対称に配置されていることを特徴とする請求項１に記載の牡蠣養殖用掛止具。
【請求項６】
アグ構造の最大外径は、牡蠣殻孔に挿入する根幹の外径より小さくすることを特徴とする請求項５に記載の牡蠣養殖用掛止具。
【請求項７】
請求項１〜６のいずれかに記載の牡蠣養殖用掛止具において、互いに隣接する該牡蠣養殖用掛止具同士が、根幹の長手方向に対して直角方向に伸びる少なくとも一本の連結用部材を介して多数順次並列に帯状に連結した構造からなることを特徴とする牡蠣養殖用帯状掛止具。
【請求項８】
互いに隣接する該牡蠣養殖用掛止具同士が、根幹の長手方向に対して直角方向に伸びる少なくとも一本の連結用部材および少なくとも一本の固定用部材の先端連結用部材を介して多数順次並列に帯状に連結した構造からなることを特徴とする請求項７に記載の牡蠣養殖用帯状掛止具。
【請求項９】
牡蠣養殖用帯状掛止具同士が根幹の端部を順次直列に連結した構造で、又は牡蠣養殖用帯状掛止具が、帯状状態で、ロール状に巻かれた状態で、またはボビンに巻かれた状態で保管、輸送および供給されることを特徴とする請求項７または８に記載の牡蠣養殖用帯状掛止具。
【請求項１０】
牡蠣養殖用帯状掛止具の材料が、可撓性のプラスチック材料から成形されてなることを特徴とする請求項１〜９のいずれかに記載の牡蠣養殖用帯状掛止具。
【考案の詳細な説明】
【技術分野】
【０００１】
本考案は長期間使用する場合に於いても、牡蠣のような養殖貝が挿入係止具より抜け落ちたり、貝殻挿入型の貝掛止具が切断して養殖貝が海中に落下しないように、安定した状態で各種養殖貝を長時間、保持し得る、歩留の良い、養殖貝が離脱することが比較的少ない構造を有する合成樹脂で一体成形してなる牡蠣殻挿入型の貝係止具、吊り下げ具、牡蠣ハンガー等として機能する養殖牡蠣の貝殻挿入型の貝掛止具に関する。その貝殻挿入型の貝掛止具（吊下具）は、係止具のロール巻き、ボビン巻き、切り離し、養殖用ロープ取り付けといった操作が容易で、しかも安定にロープに取り付けるのに便利な牡蠣の養殖用貝吊下具が連続的に多数順次並列に帯状に連結された牡蠣の養殖用連結貝掛止具に関する。
【背景技術】
【０００２】
牡蠣を養殖する方法として、帆立貝のような貝殻を採苗器として海中に入れておき、海中に浮遊している牡蠣幼生を付着させるという採苗連を使用するが、牡蠣の成長に従って帆立貝の貝殻をはずしてこれを別の長い針金に、移し替える。この場合に、貝殻を竹管やストローのような管状の器具を使用して、貝殻と管とを交互に通して貝殻に一定の間隔をもたせて連を作り、この連を適当な間隔でロープに括り付け、筏や延縄に吊るすのが一般的な養殖方法である。この場合に、牡蠣は貝殻の採苗器を中心に密集して成長するために、牡蠣同士がくっついた状態で成長するために、環境の影響を比較的受け易い牡蠣殻が歪んでしまうのが殆どである。
この対策として、良質な牡蠣の養殖をするために、稚貝を採苗器より取り外して、籠に移し替える方法が採用される場合がある。
籠に移し替える数は、通常３０個乃至４０個程度であるが、牡蠣の成長具合を見て籠を海中より引き上げて、分散作業をする必要がある。その際、牡蠣の成長を阻害する、海草などが、籠の網目に付着しており、これを除去しなければならないという厄介な作業負担が伴っている。
【０００３】
その為、最近では、一粒牡蠣と称される、実入りの良い牡蠣を収穫するために、テグスを用い、牡蠣貝殻に穴をあけた後、テグスをロープに結び、牡蠣貝穴にテグスを通し、牡蠣がテグスより抜け落ちないように環状に結び、海中に吊り下げて養殖される場合が多い。
参考までに、図６には、現在テグスを用いて牡蠣を垂下養殖している写真図である。
具体的には、テグスを約２０ｃｍ程度の長さに切断をし、これを約１７ｃｍ間隔でロープに通してからテグスをロープに結び、牡蠣には直径約２ｍｍ程度の穴をあけ、これにテグスを通し牡蠣がテグスから抜け落ちないようにテグスを結ぶ。
この場合、図６の写真図に見るとおり、牡蠣が密集したり、偏ったり、成育に支障となることが懸念される。牡蠣は、餌となる植物プランクトンを昼夜エラで取り込むために、一日で濾過する海水量も非常に多いために、牡蠣を密集した状態で養殖することは成長を早める観点からすれば推奨されない。
【０００４】
初期の養殖用貝係止具としては、特許文献１に見るとおり、弾性針金を加工して、貝を吊り下げるような構造にすることは知られている。
また、特許文献２には、母線に係止された、先端部に塊状掛止部を有する合成樹脂製細線を、ほたて稚貝の耳部に穿孔した小孔に挿通して、ほたて貝の脱離を防止することも知られている。しかし、能率よく、しかも要領よく多数の稚貝を貝係止具に短時間に取り付ける為には、これらの線材では限界があった。
そこで、牡蠣の養殖に好ましい各種貝の養殖法を吟味したところ、例えば帆立貝の養殖方法に関する先行技術として、貝殻挿入型の貝掛止具（場合によっては、「係止具」、「ハンガー」、「ピン」等と呼称する場合もあるが、以下総称して「掛止具」という。）を用いる方法であり、この帆立貝掛止具の基本構造は、細長い長尺の根幹の両端部に対称に抜け防止部および略中心寄りに、ロープのような母線止め突起が対称に設けられている構造のものが知られている。これを、細縄、紐、又はロープのような母線を中心にして、貝係止具部を略等間隔に対称にとりつけ、その貝掛止具部に貝の稚貝を取り付けるようなものが一般的になっている。
【０００５】
詳細には、ほたて稚貝の貝殻に、稚貝の生体には影響がなく、しかも、稚貝を吊るした場合に貝の口が常時下向きの浮遊状態になるような、貝殻の耳のような形状をした貝殻の位置を耳部と呼び、その耳部に人為的な穿孔による孔穴部を設けて、その孔穴部に貝掛止具の細長の根幹を疎通して貝を取り付けるものである。その細長の根幹の両先端には、鋭利に尖がった通常「かえし」、「あぐ」、「もどし」、（日本大百科全書  １５  第９０５頁  「釣り針」参照）又は俗に「アゲ」とも呼ばれる場合もある「引っかかり部」（以下、「アグ」構造ともいう）の機能をはたすアグ構造の抜け防止部を有する貝掛止具を、その細長の根幹を軸方向にしたがって稚貝の貝殻に穿孔した細孔に挿通すると、抜け防止部を構成するアグ部が毛羽たちにより、稚貝が容易に抜けて離脱しないような構造になっている。このような養殖方法は、俗に耳吊養殖と称され、垂下式帆立貝の耳吊養殖という垂下方式に用いる貝殻の挿入型貝掛止具が、従来から多数提案され実用に供されている。
【０００６】
しかし、気象現象による海水の揺動や、貝の成長、海洋生物の付着、あるいは、海中という特殊な環境下における材料の疲労、劣化というような予期せぬ現象が加わり、長期間ほたて貝耳吊用掛止具を使用すると、特にアグ構造のような抜け防止部に対して海水中の貝の揺動により帆立貝の耳部の突起形状部に接触しながら回転運動の力が加わり、アグ部のような抜け防止部にクリープ現象も加わり、抜け防止部を形成するアグ部が係止具の根幹に密着することにより、さらに、貝に海洋生物の付着による重量付加も加わり貝掛止具の破損やアグ構造の無機能化により、貝が貝掛止具から抜け落ちて容易に離脱する現象が見られる。
特に牡蠣の養殖として、種苗場で採集した垂下連を組み替えて、筏で養殖してから、適当な運搬手段で、牡蠣の養殖に適した養殖現場に移動する養殖方法が、特許文献３に見られる。
更に、貝掛止具として、牡蠣とは異なる帆立貝の例ではあるが、特許文献４、５には基材の中央部にロープへの挿入状態でロープに係止するための取付突起を設け、基材における、前記取付突起を突出し、帆立貝の耳に設けた穴を基材の端部側より取り付け突起を経て、内側に挿入することで、この帆立貝を貝係止突起により係止するように構成した貝掛止具が提案されている。
【０００７】
特許文献６には樹脂で形成した棒状の軸部の先部に先鋭な先部挿入部及び、抜け止め部を備え、軸部の後部には先鋭な後部挿入部及び、抜け止め具を備えた養殖帆立貝の掛止具
が提案され、さらに、細長いピン状の中間部に対称的に内側の係止突起を、両側に離間して、対称的に外側の係止突起を備え、内側の係止突起をロープに係止し、外側の係止突起に貝を係止するように、連続成形で構成された養殖貝の係止ピンが提案されている。
しかし、この特許文献６の養殖貝の係止ピンの場合に於いてもこの特許文献４、５の貝係止具の場合に比して、若干に改良されてはいるが、同様に帆立貝をロープに挿入する時に内側の係止具を切離して挿入するものであって、係止具が海水の潮の流れによって自在に回転し、外側の係止突起が貝の耳の凸部に接触し、外側の係止突起が根幹に密着し、帆立貝が軸部外側に抜け落ちてしまうという問題を包含している。
この養殖貝の係止具からの離脱を防止するために、合成樹脂の材料の選定による対応、およびアグ構造の抜け防止部の構造や形状を改良および工夫するという抜け防止部の改良による問題点への対応だけでは、貝の離脱を完全に防止することには限界があり、さらなる工夫が求められる。
【０００８】
この養殖用貝掛止具の貝への装着に利便性、生産および流通方法の面から考察すれば、合理的な生産方法は、特許文献７，８に見られるとおり、通常は多数個取りの金型を使用して連続的に大量に製造することになり、しかもまとめて沢山の帆立貝係止具を養殖現場に供給するための保管および輸送の利便性、さらには、切断差込機へのセットの利便性の点から、多数の養殖用帆立貝係止具が、並列的に多数並べられた連結状態のもの（フープピン）で、ロール巻きまたはボビンに巻き取った状態で取り扱われているのが実情である。
【０００９】
特に近年の養殖現場における状況は、帆立貝のような貝を養殖する貝掛止具には合成樹脂で成形された従来のものを使用して養殖したにもかかわらず、近年養殖貝にザラボヤ等の予期せぬ海洋生物というような、地球環境の変化に付随したかのような各種雑生物が大量に発生して、それが養殖帆立貝に多量に付着するために、養殖後に貝を水揚げする際に、生物が付着した貝の重量に挿入係止具が耐えきれず抜け落ちや、場合によっては挿入係止具が破損、切断されて、貝が海底に落下するため、養殖用母線だけの引き上げによる貝の収集には限界があるのが実情である。このために、帆立貝を水揚げして出荷するまでの合間の時期に、一度船上に養殖貝を引揚げて、洗浄を行ったり、或いは水揚げする際に、海中に落下する貝を拾うため、海中にベルトコンベアを用意して収穫を行う等の対策が講じられているが、これには、多くの時間、労力および経費の負担が余儀なくされ、帆立養殖漁家よりその対策が切望されている。
しかし、牡蠣養殖現場においては、帆立貝と同じような対策が求められるが、さらに養殖効率、価格、安全性などを含め、さらには牡蠣のへい死の対策を含めて、牡蠣特有の事情を抱えており、牡蠣挿入型掛止具を使用するという状況には至っていないのが実情である。
【考案の概要】
【考案が解決しようとする課題】
【００１０】
本考案は、養殖用牡蠣の幼貝を、貝掛止具を使用して海水中に適度に分散配置することにより、水質汚染、海水温の変化、付着生物、環境変化、疾病等によるへい死のリスクを回避しながら非常に実入りの良い牡蠣を養殖する場合において、長時間使用する養殖牡蠣の貝殻への牡蠣殻挿入型掛止具において、細長の根幹部を出来る限り細くして、殻頂への穿孔による牡蠣への負担を軽減し、しかも牡蠣の抜け防止部に加わる過度の引き抜き負荷が集中した場合に、基材である細長の根幹部において若干負荷を吸収するという新規な仕組みにより、牡蠣が係止用アグ突起の構造より抜け落ちることの防止を図り、且つ、基体が養殖貝に付着した各種雑生物の重量に耐えられず、基体が折損し、牡蠣が海中に落下することを防止するという課題を解決するとともに商品価値の高い牡蠣殻を有する牡蠣の養殖を達成するという、牡蠣養殖の為に有用な新規な牡蠣殻への挿入型貝掛止具を提供することに有る。
【００１１】
また、本考案は、養殖牡蠣の密集により生じる弊害を防止する為に、隣接する牡蠣との間隔を適度に維持することにより、牡蠣の餌を摂る為の海水中のプランクトンの濾し取りが競合することがなく、牡蠣掛止具を長期間使用する場合に於いても、牡蠣が挿入掛止具の抜け防止部より抜け落ちたり、挿入型貝掛止具が切断して牡蠣が海中に落下しないように、安定した状態で牡蠣を長時間、保持し得る、歩留の良い牡蠣の挿入型貝掛止具を提供することにある。
さらに、本考案は、運搬および保管し易く、しかもロール巻き、ボビン巻き、切り離し、養殖用ロープ取り付けが機械により容易にできるとともに、安定にロープに取付けるにおいて、牡蠣が経時変化において容易に離脱することが比較的少ない構造の牡蠣殻挿入型の牡蠣掛止具単品およびその牡蠣掛止具が連続的に多数順次帯状に連結した並列状連結牡蠣掛止具を提供することにより課題解決をすることができたものである。
【課題を解決するための手段】
【００１２】
本考案は、牡蠣の養殖においては、海中における養殖条件、環境の工夫および掛止具を採用する場合に、掛止具からの離脱は、帆立貝掛止具を構成する合成樹脂およびアグ構造の抜け防止部の構造だけの欠損に原因があるのではなく、牡蠣掛止具の根幹を含む全体的な観点から配慮した材料設計および構造設計を総合的に検討した結果、それを構成する主要部である根幹の材料の性質、強度、特性などの影響が貝掛止具の全体に本質的に起因していることを知見して、新規な観点から、品質および外観の良い大型の牡蠣を、へい死のリスクを低下させながら牡蠣養殖をする方法を知見したものである。
というのも、牡蠣は二枚貝であり、しかも周囲の環境により、牡蠣殻の外形が丸型になったり、細長の型になったりする傾向があるので、牡蠣の養殖法を調整すると、比較的牡蠣殻の形態が安定した養殖法を工夫できる余地がある。
本考案は、上記の課題を解決する為に、詳細に以下の手段を採ることを特徴とするものである。
【００１３】
即ち、本考案の第１の特徴は、牡蠣殻に開けた細孔に挿通可能な細長の樹脂製長尺根幹からなり、長尺根幹の中央域には、根幹を他の基材に固定する為の固定用部材を有し、根幹の長手方向の両端域には、少なくとも一対の貝の抜止用部材が長尺の根幹に沿って中央域方向に向かって順次設けられていることを特徴とする牡蠣養殖用掛止具、にある。
本考案の第２の特徴は、固定用部材が根幹上には根幹の中心付近を起点にして母線を挟む十分な間隔を持った先端部が中心側に傾斜した形状の一対の母線抑え突起が左右対称に設けられていることを特徴とする牡蠣養殖用掛止具、にある。
本考案の第３の特徴は、固定用部材が根幹上には根幹の中心付近を起点にして母線を挟む十分な間隔を持った対の把持構造が設けられていることを特徴とする牡蠣養殖用掛止具、にある。
【００１４】
本考案の第４の特徴は、固定用部材が長尺の根幹の中心付近に引っ掛け具が設置されていることを特徴とする牡蠣養殖用掛止具、にある。
本考案の第５の特徴は、一対の貝の抜止用部材が長尺の根幹に沿って端部から中央方向に向かって、一定の間隔を持って、１〜５個のアグ構造が順次左右対称に配置されていることを特徴とする牡蠣養殖用掛止具、にある。
本考案の第６の特徴は、アグ構造の最大外径が、牡蠣殻孔に挿入する根幹の外径より小さくすることを特徴とする牡蠣養殖用掛止具、にある。
【００１５】
本考案の第７の特徴は、互いに隣接する該牡蠣養殖用掛止具同士が、根幹の長手方向に対して直角方向に伸びる少なくとも一本の連結用部材を介して多数順次並列に帯状に連結した構造からなることを特徴とする牡蠣養殖用帯状掛止具、にある。
本考案の第８の特徴は、互いに隣接する該牡蠣養殖用掛止具同士が、根幹の長手方向に対して直角方向に伸びる少なくとも一本の連結用部材および少なくとも一本の固定用部材の先端連結用部材を介して多数順次並列に帯状に連結した構造からなることを特徴とする牡蠣養殖用帯状掛止具、にある。
【００１６】
本考案の第９の特徴は、牡蠣養殖用帯状掛止具同士が根幹の端部を順次直列に連結した構造で、又は牡蠣養殖用帯状掛止具が、帯状状態で、ロール状に巻かれた状態で、またはボビンに巻かれた状態で保管、輸送および供給されることを特徴とする牡蠣養殖用帯状掛止具、にある。
本考案の第１０の特徴は、牡蠣養殖用帯状掛止具の材料が、可撓性のプラスチック材料から成形されてなることを特徴とする牡蠣養殖用帯状掛止具、にある。
【考案の効果】
【００１７】
本考案は、牡蠣養殖用掛止具または牡蠣養殖用帯状掛止具から得られる単品を、牡蠣殻に、好ましくは殻頂に穿孔した孔に挿入した状態で海中に配置することにより、養殖期間中安定に海水中に牡蠣を配置することができるばかりでなく、一粒牡蠣と称される実入りの良い牡蠣が収穫できる。また、テグス、籠による養殖法に比較して、養殖牡蠣の密集による弊害を回避することができるので、植物プランクトンのような餌の取り込みが容易であり、牡蠣の成長に有利に作用するばかりでなく、牡蠣の成長に応じて籠を海中から引き上げて、分散する作業が省略でき、さらにフジツボのような有害な生物を取り除く作業も省略できるという省力化が期待できる。
この掛止具による養殖方法は、特に牡蠣は餌を取り込むために、牡蠣１個が、１時間に約５〜１２&#8467;の大量の海水を濾過するとも言われ、このようなプランクトンの取り込み条件に適合しており、本考案の浮遊方式の牡蠣分散型掛止具による養殖法が、成長を促進するような条件を適正に満たすために、非常に見切りの良い牡蠣の養殖が達成できることが予測される。
また、過度の密集した養殖に比較すれば、本考案の掛止具による養殖は、牡蠣そのものの浮遊により自由度が大きいので、密集養殖の際に発生する恐れのある、高海水温、塩分濃度、水質汚染、寄生虫や病害などの原因によるへい死のリスクを回避できることが期待される。
【００１８】
牡蠣養殖用掛止具または牡蠣養殖用帯状掛止具は、帯状でも変形、歪み、破損などが無く安定であり、しかもロール巻き取り、ボビン巻取りが安定にできるために、輸送、保管、取り扱い性が容易である。しかも掛止具をロープのような母線に固定用部材により簡単に、しかも容易に挿通などにより固定できるとともに、極めて安定に母線へ固定ができる。また、牡蠣稚貝の殻頂部などの穿孔部に挿通することが簡単にできる。帯状掛止具の構造および設計は、無駄な材料の消費を抑えて、固定用部材がハ字型ピン抑え部の場合に、連結用部材の残留突起は、連結の為の役割ばかりでなく牡蠣掛止具の母線からのずれを防止するというような多機能の役割を果たす。結果的には牡蠣のような養殖貝の離脱を飛躍的に防止することができるという、いわゆる歩留まりの高いコスト的にも優れた作用効果を奏する。この牡蠣掛止具は、環境によりその貝殻の形態が影響を受けやすい牡蠣の養殖に最適なばかりでなく、必要に応じて、帆立貝、真珠貝等、アサリ、ハマグリなどの各種養殖貝の挿入型掛止具として広範囲に適用可能な可能性を持っている。
【図面の簡単な説明】
【００１９】
【図１】本考案の牡蠣養殖用掛止具の概要を表す模式図である。［図１（ａ）］牡蠣殻に開けた細孔に挿通可能な細長の樹脂製長尺根幹により構成される牡蠣養殖用掛止具を表す正面図である。［図１（ｂ）］牡蠣養殖用掛止具を表す平面図である。［図１（ｃ）］牡蠣養殖用掛止具の部分切断による正面図の拡大図である。
【図２】本考案の養殖用の牡蠣殻挿入型掛止具のロープに固定する為の固定用部材の態様を示す模式図である。固定用部材として、掛止具の根幹をロープに通し、根幹の中心付近を起点にして母線を挟む十分な間隔を持った先端部が中心側に傾斜した形状の一対の母線抑え突起３、３’が左右対称に設けられている構造。
【００２０】
【図３】本考案の掛止具の貝の抜止用部材の態様を示す模式図である。［図３（ａ）］  抜止用部材を構成する典型的な貝止め突起を示す模式図である。［図３（ｂ）］  抜止用部材を構成する貝止め突起の別の態様を示す模式図である。
【図４】本考案の掛止具の根幹１を牡蠣殻Ｓに疎入する場合の模式図である。［図４（ａ）］  根幹（基材）を牡蠣殻孔に挿入した場合における、貝止め突起２１，２２が、牡蠣孔を通過する状態の模式図である。［図４（ｂ）］  根幹（基材）を牡蠣殻孔に挿入した場合における、貝止め突起２１，２２が、牡蠣孔を通過した後の回復した状態を示す模式図である。
【図５】本考案の牡蠣養殖用帯状掛止具の取り扱い状態を示す模式図である。［図５（ａ）］  隣接する掛止具が、ロープ止め突起３’の先端部および連結用部材９を介して多数順次並列に帯状に連結した構造の牡蠣養殖用帯状掛止具を示す。［図５（ｂ）］  隣接する掛止具が、根幹１の先端部４を結合して連結用部材９を介して多数順次並列に帯状に連結した構造の牡蠣養殖用帯状掛止具の別態様の例を示す。
【図６】テグスを用いて牡蠣を垂下養殖している状態を示す写真図である。
【図７】養殖用牡蠣Ｓへ穿孔した牡蠣孔Ｈの位置を示す模式図である。
【図８】杭、やぐら、梁、筏のような固定具Ｙに、本考案の掛止具により沢山の牡蠣を吊るしたロープＲを、所定量を取り付け、海中で養殖する状態を示す模式図である。
【考案を実施するための形態】
【００２１】
本考案の基本的な牡蠣養殖用掛止具の各種実施形態の詳細を、図面などを援用して詳細に説明すると、本考案の掛止具とは、図１に示すような、殻頂に開けた細孔に挿通可能な細長の樹脂製長尺根幹（基材）１からなり、長尺根幹の中央域には、根幹を他の基材に固定する為の役割を果たす固定用部材が配置されており、具体的にはロープＲに固定する為のロープ止め突起３、３’の構造を備えたものが代表的な一つとして推奨される。
根幹１の長手方向の両端部から中央域に至る箇所には、少なくとも一対の貝抜止用部材の役割を果たす貝止め突起２が配置されていることを基本構造とする。その貝止め突起２として具体的には、左右対称に、又は上下対称に設置された少なくともは二枚の舌片状からなるアグ構造であるか、又は一枚の舌片状からなるアグ構造を有するものを基本構造とすることが推奨される。
また必要により、長尺の根幹１に沿って、端部に突起２と、貝止め突起５ａの二つが、左右対称に配置されている構造を有するものである。同様に、根幹１に沿って、端部に突起２と、貝止め突起５ａ、および貝止め突起５ｂの三つが、左右対称に配置されている構造を有するものも推奨される。
このように、養殖の規模および海中の状況を考慮して、必要により端部から中央域方向に向かって貝止め突起５が、５ａ、５ｂ、５ｃ、５ｄ・・・と多段に、通常は１〜８個程度の、少なくとも一つの又は必要により二つの舌片状からなるアグ構造を左右対称に順次多段に複数個を配置した牡蠣養殖用掛止具とすることができる。この舌片状を１枚にするか、２枚にするかは、養殖現場の海水の状況を考慮して任意に設計する事項である。
養殖規模および状況にもよるが、貝抜止用部材の機能を果たす貝止め突起２または突起５として、舌片状のダブルアグ構造が最も適しており、これを牡蠣養殖用掛止具の基本的な構造とする。
詳細には、ロープＲと牡蠣殻孔Ｈに、差込みができる細長の基材である根幹１に、貝抜止用部材である貝止め突起２と固定用部材の一つであるロープ止め突起３が設置されている構造であり、これらは樹脂で一体成形または二次加工で作成されたものである。
貝止め突起２もロープ止め突起３も、基材である根幹１の外側に突出された構造であり、貝止め突起２は、舌片の形状は、基材１の軸方向の一端部４側から基材の中心に対して外向きの対の任意の曲率半径ｒの円弧の形体を有するように加工された掛止具が適している。
【００２２】
樹脂製長尺根幹（基材）１の長さは、牡蠣の養殖規模に応じて５〜８０ｃｍ、好ましくは５〜３５ｃｍ程度と任意に決めることが出来るが、取り扱い性や、生産性を考慮した商業的な養殖の規模を考慮すれば、約１０〜２２ｃｍ程度の範囲内が理想的である。このような根幹１の長さは、図１（ａ）では、貝止め突起２、５、５ａと三段の例であるが、１段、２段、３段、４段と任意に多段に順次設置することが出来るとともに、牡蠣の取り付けによる引っ張りに耐えるだけの強度を備えることが必要である。貝止め突起２と５ａの間隔、５ａと５ｂの間隔、５ｂと突起３の間隔は、通常２〜１２ｃｍ程度であるが、養殖牡蠣の取り付け数および牡蠣の成長の大きさを考慮して任意に決めるような設計事項の範囲であるが、２〜４ｃｍ程度の距離があれば合理的に機能することが期待される。
根幹（基材）１の端部４は、牡蠣孔Ｈに挿入し易いように、図２に示すように先端が先細の形体を有する突起４とすることが好ましいが、先端部は、鋭利な、円形の、楕円形の、円錐形の任意の形体を有する突起にすることが好ましい。
【００２３】
この長尺根幹（基材）１の口径（直径）は、合成樹脂材料の強度、養殖規模を考慮して設計するが、その長尺根幹（基材）１の断面を、円弧にするか、楕円にするか、正四角形、長四角形にするかにより変わり得るが、最大直径は１．５〜１０ｍｍ程度の、好ましくは平均２〜５ｍｍ程度の範囲にすることが好ましい。というのも、長尺根幹（基材）１の中央域部は、力学のバランスを考慮して、若干太くして、断面積を大きくして、両端部に行くに従って漸次細くすること、即ち断面積を小さくするように設計することが推奨される。また、根幹１の断面の形状を、円形、楕円径になどに工夫することにより、力学的に対処できる構造を工夫することが良い。しかし、牡蠣孔Ｈは穿孔により、円形に形成されている場合が多く、これに適合する為には、根幹の断面を円形にすることが好ましい。特に、根幹１のロープなどへの固定用部材の領域は、断面を長方型に設計すれば、ロープに差し込んだ場合に、根幹の不要な回転運動が抑制されることや、梁のように力学的に強度が若干向上するなどの工夫なども出来るので、これらは設計事項の範囲内である。
更に重要なことは、殻頂に形成されている牡蠣孔Ｈの孔径を出来るだけ小さくして、牡蠣への負担を軽減することが好ましい。その意味では、根幹１の断面の形状を工夫するとか、樹脂製長尺根幹（基材）１の材質は、樹脂、プラスチック材料を基本としながらも、延伸配向による強化、熱処理による強化、繊維、インサートなどによる強化をした強化材料とすることにより、細くて強い合成樹脂製にすることが好ましい。
また、アグ構造の切片状の突起を強化するために、強度の高い強化樹脂を選定することは勿論のこと、予め根幹１を延伸配向により強化しておき、その根幹１を切削のような二次加工により切片状突起を形成することにより強化突起とする方法も推奨される。
本考案の牡蠣養殖用掛止具の製作は、射出成形、注型成形などにより、慣用の一体成形により成形することが出来るが、予め長尺根幹（基材）を切削加工や溶着のような二次加工を加えて製作するかことができる。
【００２４】
牡蠣養殖用掛止具を成形する材料は、金属、アルミ、プラスチック、木材など、多くの材料が用いられるが、一般には、プラスチックが最も適している。プラスチック材料は、ポリエチレン、ポリプロピレン、ポリアセタール、ポリカーボネート、ポリエステル、ポリスルホン、ポリフェニレンサルファイド、ポリアリレート、ポリアミド、ポリ塩化ビニル、生分解性プラスチック、バイオプラスチック、天然樹脂などの各種汎用のプラスチック材料が強度、耐久性、耐水性、再処理性、無毒性、価格などの事情を考慮して使用される。特にエンジニアリングプラスチックの範ちゅうに属する材料であれば任意に使用できるので、これらの例示のプラスチック材料に限定されるものではない。特に耐久性、成形性、価格などの面を総合的にみれば、ナイロンのようなポリアミド樹脂が適している。これは普通にナイロン６、６６、１１、１２、４６、６１０という商品名で容易に入手できる材料である。ナイロン１１、１２などは吸水性が小さく海水の掛止具に適している。
【００２５】
本考案の牡蠣養殖用掛止具を構成する根幹（基材）１上の中央域に設置される固定用部材とは、図１（ａ）、図２に示すような根幹の中心付近を起点にして母線Ｒを適度に挟む十分な間隔（Ｗ）を持った先端部が中心側に約２０〜９０度の、好ましくは２０〜３０度程度の傾斜角度（θ）を有する形状の、一対の「ハの字」型の母線抑え突起３、３’が左右対称に設けられている、いわゆる図２（ａ）のような、ロープ止め突起３の構造を有し、ロープＲのような母線の中央を貫通させることにより母線に掛止具を取り付ける挿通型掛止具を代表的な構造のものとして挙げることができる。
【００２６】
しかし、この固定用部材は、図２に見るような基本的な態様が最良の構造ではあるが、応用例として、取り付け強度において若干劣るが、例えば、母線Ｒを把持する間隔で略Ｌ字型の二つの把持手３３と把持手３３’が対に根幹１に設置されており、対になり母線に食い込むような構造で掛止具を配置するという、いわゆる把持型掛止具とすることもできる。Ｌ字型把持手の先端部には、母線に食い込んでも容易に抜けないように、返しまたはアグ構造とした、矢印のような構造にすることも可能である。
同様に、この固定用部材は、図２の応用として、母線Ｒを通して括り付けられた、テグス、紐のような引っ掛け用輪に、根幹１に設置された、例えば略Ｌ字型の牽引手３５、３５’を対称に設置して、両牽引手が接触する隙間に輪を通して入れて、引っ掛け具が設置された構造により掛止具を母線に吊り下げる構造が挙げられるが、または根幹１に設置された一個の弾力性の略半円形状の牽引手３５により構成されるクリップ構造でも引っ掛けが可能であり、いわゆるこれらを総称して吊下型掛止具として採用することができる。この輪は、必要により、母線の長さ方向に適当な間隔で多数取り付けて、複数の所定の掛止具を任意に母線に取り付けることができる。
以上に挙げた固定用部材は、図２が代表的なものであるが、必要により、慣用の公知の固定用部材の機能および役割を果たす公知の各種構造のものを採用することも可能である。
【００２７】
本考案の牡蠣養殖用掛止具を構成する、この貝止め突起２の代表的なアグ構造を図３に基づいて説明をすれば、基材である根幹１の端部４は、貝孔に挿入が容易なように、先端部が若干細く鋭利になっている。根幹１には、図３（ａ）に示すように、舌片状の上側アグ５１が一枚設置されている構造、場合によっては下側アグ５１’（図示省略）とが対称に開いた構造とすることによって貝止め突起２を構成することにより係留機能を高めることが出来る。同様に、図３（ｂ）に示すとおり、上下、左右に二枚の舌片２１、２２を有する形態の状態のものも採用できる。このように、舌片の数を１枚にするか、２枚にするか、およびアグ構造の数を何個にするか、その設置箇所は設計事項の範囲内である。
この舌片状のアグは、幅は根幹１の直径により決まるが、長さは先端部から基幹部までの長さは０．５〜１５ｍｍ程度の範囲で任意に設計できる。その舌片の形態は、単純な直立の突起の形態でも良いが、例えば図４（ｂ）に示すとおり、任意の曲率半径ｒを有する構造（例えば、ｒ：３〜５ｍｍ）にすることが好ましい。この貝止め突起２を構成する舌片状のアグの形態を、根幹１の外側面から漸次湾曲した、半径ｒの円弧を形成するようにすると、貝が抜けるように力が作用すれば、舌片状のアグの先端部の形態は即座に、根幹１から離反する方向に起立して、その貝が抜けるのを阻止する構造になっている。
もし、このアグの先端部が根幹１側に倒れると、牡蠣殻の牡蠣孔Ｈは容易に通過して抜けてしまう。
【００２８】
本考案の貝抜止用部材である貝止め突起２が、ロープ止めの中心と任意の対の曲率半径の形態を備えた中間の位置に、２箇所の貝止め突起５ａ、５ｂが設置されている構造のものを設計することが出来る。
このような舌片状が１個のアグ構造５ａ、５ｂからなる貝止め突起の構造は、２段、３段と根幹１の中央方向に設置する場合に有意義である。舌片状のアグが対になった対称の貝止め突起２の構造は、根幹１の両先端部に配置する場合に、強固に貝を止める為に適している。
例えば、根幹１と同じ軸方向の切れ目を設けて、先端部分が切れ目を境界にして上下または左右にずれた二つの細長片からなる構造のもの、或いは、切れ目のない単なる舌片状のもの、Ｔ字状のものなど各種の形態のものが設計できる。
このアグの配置されている箇所には、図１、図３に示すような、傾斜部６、７が形成されている。これは、貝止め突起２の部分を貝孔に挿入する場合に、舌片状のアグが根幹側に傾斜してアグの出っ張りを低くすることにより貝殻孔Ｈの径を比較的小さく設計することができるばかりでなく、貝を吊引する場合に、安定に低い場所の窪地に係留する場所を提供するという有利な機能を奏する。
【００２９】
本考案の掛止具は、貝止め突起を貝殻Ｓの孔に疎入する場合の状態を図４に基づいて説明をすると、貝殻Ｓの孔に根幹１差し込む場合に、曲面を有する舌片状のアグ２１，２２が容易に根幹１側に曲がり、径を小さくして、舌片状の曲面にスムーズな接触により貝孔の通過を容易にする。孔を通過した根幹１の舌片状のアグ２１，２２は、弾力により回復して立つために、貝Ｓの抜けを防止する。牡蠣への損傷を低くするために、穿孔する殻孔の径をできるだけ小さくすることが推奨されるので、本考案の掛止具が合理的に機能する。このような意味で、アグ構造の折りたたんだ最大外径が、牡蠣殻孔に挿入する根幹の外径より小さくすることは、その目的からして当然のことである。
【００３０】
本考案の掛止具は、保管、輸送、取り扱い、セッテングなどを便利にするためにコンパクトにした、根幹１の端部４が隣接する根幹４’と連結した、複数の直列接続型の牡蠣養殖用掛止具でも対応できる。
しかし、図５（ａ）、図５（ｂ）に見るように、輸送、保管、貝殻セットなどの利便性から、また、合理的な成形を達成するために、互いに隣接する該牡蠣養殖用掛止具同士が、根幹の長手方向に対してロープ止め突起３、および直角方向に伸びる少なくとも一本の連結用部材を利用して、多数順次並列に帯状に連結した牡蠣養殖用帯状掛止具とすることが合理的である。
さらに、具体的な連結態様を例示すれば、互いに隣接する該牡蠣養殖用掛止具単品同士が、ロープ止め突起３とロープ止め突起３’の二点で連結すること、図５（ａ）に示すとおり、根幹の長手方向に対して直角方向に伸びる少なくとも一本の連結用部材９および固定用部材であるロープ止め突起３’の先端連結用部材３“の二点で連結する方法が安定する。また、ロープ止め突起３，３’間を複数の連結用部材９により少なくとも二点で連結する方法も可能である。
勿論、貝止め突起２とロープ止め突起３との間を、連結用部材９を利用して、少なくとも２点で連結する方法など、設計事項として任意に変えることが出来る。
【００３１】
同様に、図５（ｂ）に見るとおり、根幹１の端部４を連結用部材９で連結することも、非常に安定に連結する手法として、推奨される。
これらの、牡蠣養殖用帯状掛止具は単品で、または牡蠣養殖用帯状掛止具が、帯状状態で、ロール状に巻かれた状態で、およびボビンに巻かれた状態で保管、輸送およびセッティングにおいて有利に機能する。
この並列的に一定の間隔を持って並んで隣接する複数の掛止具の単品が連続的に多数順次帯状に連結してなる掛止具の連結間隔は、例えば５〜２０ｍｍ、好ましくは２〜８ｍｍ程度の間隔を持って並列的に隣接する。連結数は、供給する養殖現場の事情にもよるが、３０〜５０個程度の少量から、１００〜３００個程度、場合によっては１０００〜３０００個程度、必要によっては、５０００〜１００００個と状況を考慮して任意に決めることができる設計事項である。
【００３２】
本考案の牡蠣養殖用掛止具単品の構造を更に詳細に説明すれば、前記のように根幹１の片面又は両末端４は、細紐、縄、ロープのような母線に容易に差し込めるように、円錐形や丸型のような、根幹１の中心部の直径よりやや細い直径の鋭利な末端構造になっていることが推奨される。この鋭利な末端構造は、牡蠣の稚貝の殻頂部に穿孔した孔部に対して挿通が容易になり、牡蠣の稚貝の取り付け作業の能率を上げるために寄与する。その根幹１の端部から、テーパー状を経て、中心部側に少し寄った箇所に、舌片状のアグ部構造を有する、単一アグ、二つにしたダブルアグ、のような各種アグ構造の舌片状の貝止め突起（２）、（２’）を有する抜け防止部となっている。
【００３３】
牡蠣を養殖する場合に於いて、牡蠣は蓋殻と身殻からなる二枚貝であり、穿孔する場合には、図６に示す殻頂である位置に牡蠣孔Ｈを形成することが好ましい。
一般には、牡蠣の特に、稚貝の生体に直接影響のない殻の端部である殻頂部に、穿孔により穴を開け、この孔に掛止具を通して海中に吊下げて養殖する場合に、孔の周辺に亀裂及び欠損を生じない程度の孔径にしなければならない。牡蠣の場合に稚貝の大きさにもよるが、穿孔する孔径は約１．２ｍｍ乃至４．０ｍｍ程度であり、通常好ましくは約１．５ｍｍ乃至３ｍｍ程度が適正とされており、その場合に、それに挿入する牡蠣掛止具の樹脂製の根幹１の径も、汎用標準サイズの場合には、１．１乃至３．５程度、好ましくは約１．５ｍｍ乃至２ｍｍの程度の範囲内にある合成樹脂で作成されることが合理的である。
【００３４】
養殖牡蠣の入手法は、採苗として帆立貝の殻を海中に沈め、牡蠣の幼生が付着したら、牡蠣の種を沿岸の棚に移して、牡蠣の成長をコントロールして環境の変化に強い牡蠣にすることが好ましいが、この採苗用帆立貝に付着した牡蠣を移し替えて垂下連を作成することにより生育した段階後の牡蠣が推奨される。垂下連には、通常は１本の線に２０〜５０帆立貝が交互に連結して垂下することが知られている。この杭垂下方式で、又は筏垂下方式の稚貝を養殖に使用する場合には、その垂下養殖段階を若干経ることにより、ある程度牡蠣の稚貝として取り扱うことができるような大きさに成長した段階の牡蠣を、採苗用帆立貝殻に固着材により付着している状態の牡蠣を、剥がしてそれを養殖用牡蠣として使用することが推奨される。
また、養殖用稚貝としては、干潟の石や岩に付着してある程度生育した牡蠣や、木や竹を干潟に建て、牡蠣を付着させある程度生育した牡蠣の稚貝を使用することや、勿論、干潟の砂で生育した牡蠣の稚貝を使用することができる。
牡蠣は、成育する周囲の環境により、丸型や長型に変形して生育する傾向があるので、例えば写真図６に見るような、密集した状況下の牡蠣養育法では、実入りのよい、比較的大型で、殻の形体の良い、理想の牡蠣を収穫できないので、出来れば、商品価値が高い理想の牡蠣を収穫するために、牡蠣を成長させるために、そのタイミングが重要であり、本考案の掛止具は、そのような理想の生育に寄与する。勿論、本考案の牡蠣掛止具は、帆立貝に付着している状態の牡蠣を、そのまま吊るす為の掛止具として応用することも可能であるが、格好の良い殻の価値の高い牡蠣を収穫するという点では、リスクが伴う。
【００３５】
本考案の牡蠣養殖用掛止具を具体的に使用して、牡蠣を吊るして、海水中に配置した状態を、図８に示す。杭、枠、梁、やぐら、または筏のような支柱Ｙに、支柱Ｙの規模および強度を考慮して、ロープＲを間隔５〜３０ｃｍ程度にして、１〜３０本程度で吊るすことができる。ロープに吊るす掛止具の上下間隔は、牡蠣の成長を考慮して、約１０〜３０ｃｍ程度の間隔を置いて、１〜２０段程度に任意に配置する。この状態は、養殖の規模、海の養殖気候、地形、環境により任意に設計することである。
本考案の掛止具を使用したロープを、筏に沢山吊るして、養殖も可能である。
特に、牡蠣が濾過する海水の量を、１０&#8467;／ｈとした場合に、例えば、牡蠣が収得するプランクトンの量を考察すれば、不規則な海水という自然環境であり、数値を特定して定量的に再現して解析することは困難であるが、１ｍ３の海水を濾過する場合の例を解析すれば、図６に示す牡蠣密集型の場合に、プランクトンの濾過および吸収が非効率であり、非常に牡蠣同士が同じ海水を濾過することが有り得ると予測される。これは、牡蠣の成長にも大きく影響することが明らかであります。
さらに、牡蠣のへい死の原因ともいえる、高海水温度、水質汚染、寄生虫、疾病などの影響も、図７、図８に見る、牡蠣分散型の養殖法が、図６に見る密集型に比較すれば、はるかにリスクが低いことが非常に有利である。
さらに、牡蠣の養殖に見る、牡蠣の殻、および生育の形態は環境により影響を受けるという牡蠣特有の事情からすると、図８にみるような分散型の養殖は、実入りがよく、外見上も商品価値の高い牡蠣の養殖が達成できる。
【実施例】
【００３６】
以下、本考案の有効性に関する評価を、実施例を挙げて説明をするが、本考案はこの態様に限定されるものではない。
【００３７】
（本考案の牡蠣養殖用掛止具単品の成形）
本考案の牡蠣養殖用掛止具単品の形体である、根幹１の長さ２００ｍｍ、太さ平均約２ｍｍのものとして、根幹の中央部には、２０ｍｍ間隔（突起の取り付け部の距離）で、ロープ止め突起（長さ５ｍｍ、幅１．５ｍｍ、厚さ１．５ｍｍ、角度３０度）を左右対称に有する。その根幹１の両端部に、舌片状（縦３〜５ｍｍ、横１．２ｍｍ）の二枚の舌片のアグ構造からなる貝止め突起を有する。根幹のロープ止め突起と貝止め突起のほぼ中央域の根幹上には一枚の舌片のアグ構造を二個有する貝止め突起が左右対称に配置された、牡蠣養殖用掛止具を成形するための多数個とり金型を作製する。
この金型へ、慣用の成形方法に基づいて、樹脂材料として、ナイロン１１を用いて、それを注型して、牡蠣養殖用掛止具を成形することができる。
【００３８】
応用例として、これにより成形された多数の牡蠣養殖用掛止具を、特に根幹の長さが本来の寸法より若干小さい状態の掛止具を予め製作する。その後、水、油、空気などの、好ましくは液体を使用して、温度約１１０℃程度の、その採用した成形樹脂が分子運動する程度に加温された恒温槽に約２〜５分程度浸漬して予め加温する。その後、約１．５〜２倍程度に延伸配向して、所定の寸法の掛止具としてから急冷すれば、特に引っ張り強度、可撓性が飛躍的に向上した掛止具を収得することもできる。勿論、アグ構造を予め形成した根幹の状態のものを延伸することが推奨されるが、別態様として、この掛止具の根幹を延伸後に、アグの舌片を二次加工により形成するという加工をすれば、その舌片の強度もそれ相応の強度を備えた製品となる。
【００３９】
（水中揺動試験）
（Ａ）直径７ｍｍ程度のロープに、牡蠣養殖用掛止具の根幹を挿通させ、掛止具の両端部の貝止め突起の部分には、市販の牡蠣に直径２ｍｍ程度の穿孔をしたものを、試験牡蠣として使用する。
ロープに、２０ｃｍ間隔で３段取り付け、このロープ３本を杭に括り付けるという、いわゆる簡単な杭打垂下法により牡蠣の生育状態を３月、６月、１２月後という要領で一定の期間を設けて、生育状況および脱落の有無の観察をすることができる。
これを海水中に吊るして、ロープに時折上下運動を加えたりして、約２４時間放置する。
これによって、本考案の牡蠣分散型の場合に、海流の状態の変化、牡蠣の成長などに起因する状況変化に対して、改良の牡蠣の抜け落ちがなく、牡蠣の分散効果による大規模な牡蠣のへい死が発生しないことが予測され、生育が順調になされることが把握できるので、その有用性が期待される。
【産業上の利用可能性】
【００４０】
牡蠣養殖現場において、経済的に安価に性能の良い牡蠣養殖用掛止具（ピン）を提供することにより、牡蠣、またはそれ以外にも帆立貝及び真珠貝等の各種養殖貝に応用できる製品を提供することができたものであり、漁業の養殖現場および地域産業という産業の発達に著しく寄与するものである。
しかも、牡蠣にピンの取り付け作業が非常に簡便になり、養殖業者の省力化が達成できたものである。さらに、ピンの貝への取り付けが容易であり、安定に、長期間脱落がなく安定に取り付けができるために、貝の離脱が少ないということにも貢献して、養殖、水産、漁業の産業分野の進展に寄与するものである。
本考案の牡蠣養殖用掛止具は、養殖を終えて、牡蠣を回収する場合に、掛止具から牡蠣が比較的容易に離れ、しかも、ロープのような母線Ｒに掛止具の残骸が残ったり、離反して、環境汚染や、海洋生物が取り込んで害となるリスクが非常に低いので、牡蠣の養殖産業の発展に非常に貢献することが期待される。
また、牡蠣以外にも、帆立貝及び真珠貝等の各種養殖貝に応用できる可能性を持っている。
【符号の説明】
【００４１】
Ｈ              牡蠣孔
Ｒ              母線
Ｓ              牡蠣貝
Ｙ              杭、枠、筏または支持体
ｒ              曲率半径
１              根幹（基材）
２，２'，２１，２２      貝止め突起（抜止用部材、アグ）
３，３'                  ロープ止め突起（固定用部材）
３"             先端連結用部材
４              基材の端部
５，５ａ，５ｂ，５１      貝止め突起（抜止用部材、アグ）
６              傾斜部
７              傾斜部
９              連結用部材
【先行技術文献】
【特許文献】
【００４２】
【特許文献１】特開昭５６−１０２７４４号公報
【特許文献２】特開平４−７１４３６号公報
【特許文献３】特開平９−１４９７４１号公報
【特許文献４】特開平８−１９６１６２号公報
【特許文献５】特許第３７８６２８５号
【特許文献６】特許第４７６５５７６号
【特許文献７】特開２００３−５２２７０号公報
【特許文献８】特開２００３−２８９７４３号公報
【図１】
0003201075.tif 000003
【図２】
0003201075.tif 000004
【図３】
0003201075.tif 000005
【図４】
0003201075.tif 000006
【図５】
0003201075.tif 000007
【図６】
0003201075.tif 000008
【図７】
0003201075.tif 000009
【図８】
0003201075.tif 000010